(57)【要約】【課題】前枠に対して簡単且つ迅速に飾り板を着脱することができる遊技機を提供する。【解決手段】前側が開口する外ケースと、外ケースの前側に開閉自在に枢着された前面パネル３と、外ケースの内側に装着された変動表示手段とを備えた遊技機において、前面パネル３は、外ケースに枢着された前枠１３と、前枠１３に裏側から着脱自在に取り付けられ且つ変動表示手段を視認するための窓部が形成された飾り板１４とを備え、飾り板１４がその一側を支点として揺動できるように飾り板１４の一側を前枠１３側に係止する係止部５１と、飾り板１４をその他側で前枠１３側に止める止め部５２とを設けたものである。【選択図】  図５
2005021484.tif 000002
【特許請求の範囲】
【請求項１】
前側が開口する外ケース（２）と、該外ケース（２）の前側に開閉自在に枢着された前面パネル（３）と、前記外ケース（２）の内側に装着された変動表示手段（４）とを備えた遊技機において、前記前面パネル（３）は、前記外ケース（２）に枢着された前枠（１３）と、該前枠（１３）に裏側から着脱自在に取り付けられ且つ前記変動表示手段（４）を視認するための窓部（３６）が形成された飾り板（１４）とを備え、前記飾り板（１４）がその一側を支点として揺動できるように該飾り板（１４）の一側を前記前枠（１３）側に係止する係止部（５１）と、前記飾り板（１４）をその他側で前記前枠（１３）側に止める止め部（５２）とを設けたことを特徴とする遊技機。
【請求項２】
前記前面パネル（３）が閉状態のときに前記飾り板（１４）に裏側から当接又は近接し且つ該飾り板（１４）を前記前枠（１３）から外れないように支持する支持部（７３）を、前記外ケース（２）側に設けたことを特徴とする請求項１に記載の遊技機。
【請求項３】
前記係止部（５１）は、前記前枠（１３）及び前記飾り板（１４）の一方に設けられた軸部（５３）と、他方に設けられ且つ前記軸部（５３）がその軸心廻りに相対回転自在に嵌合する嵌合部（５４）とを備えたことを特徴とする請求項１又は２に記載の遊技機。
【請求項４】
左右方向の軸心を有する前記軸部（５３）を、前記飾り板（１４）の下側で且つ前記飾り板（１４）の左右両端側とその中間とに対応して、前記前枠（１３）側に左右方向に複数設け、前記飾り板（１４）側に、該飾り板（１４）から下側に突出し且つ前記軸部（５３）と略直交する板状に形成された突出部（８０）（８１）を、左右両端の前記各軸部（５３）に対応して各一対、中間の前記軸部（５３）に対応して少なくとも１個ずつ設けると共に、該各突出部（８０）（８１）に、前記軸部（５３）が下側から嵌合する前記嵌合部（５４）を切り欠き形成し、左右両端の前記各軸部（５３）に対応する一対の突出部（８１）を、前記嵌合部（５４）に沿って左右方向に連結したことを特徴とする請求項３に記載の遊技機。
【請求項５】
前記前枠（１３）側に、前記飾り板（１４）の左右両端側とその中間とに対応してブラケット（５５）を左右方向に複数設け、中間の前記ブラケット（５５）の左右両側に中間の前記軸部（５３）を夫々設けると共に、左右両端の前記ブラケット（５５）の左右方向の内側に左右両端の前記軸部（５３）を夫々設け、左右両端の前記ブラケット（５５）に、左右両端の前記突出部（８１）が左右方向の内側から当接する当接部（５５ａ）を形成したことを特徴とする請求項４に記載の遊技機。
【請求項６】
前記止め部（５２）は、前記前枠（１３）及び前記飾り板（１４）の一方に設けられた弾性係合片（８３）と、他方に設けられ且つ該弾性係合片（８３）が係脱自在に係合する被係合部（８４）とを備えたことを特徴とする請求項１〜５の何れかに記載の遊技機。
【請求項７】
前記飾り板に、前記変動表示手段とは別体に副表示手段を取り付けたことを特徴とする請求項１〜６の何れかに記載の遊技機。
【発明の詳細な説明】
【０００１】
【発明の属する技術分野】
本発明はスロットマシンなどの遊技機に関し、取り分け、前面パネルの前枠に対して飾り板を着脱できるようにした遊技機に関するものである。
【０００２】
【従来の技術】
例えばスロットマシン等の遊技機は、前側が開放する外ケースと、この外ケースの前側に開閉自在に枢着された前面パネルとを備えると共に、外ケース内に、リールユニット（変動表示手段）、制御基板ユニット、払い出しユニット、電源ユニット等を備えている。そして、この種の遊技機では、遊技ホール等での新機種への台替えに際して、遊技機全体を入れ替えることが一般的となっている。
【０００３】
しかし、遊技機の構成部分の内、台替えに際して交換が必要となるのは、新旧機種で異なる部分、例えば前面パネルの機種ごとのデザイン、遊技説明等が付された部分、リールユニット、制御基板ユニット等の一部であり、外ケース、前面パネルの共通部分、払い出しユニット、電源ユニット等は必ずしも交換する必要がない。
【０００４】
そこで、従来、前面パネルに、外ケースに枢着され且つ複数機種に汎用可能な前枠と、前枠にその開口に対応して着脱され且つ機種ごとの遊技説明等が付された飾り板とを備えると共に、この飾り板の裏側にリールユニット及び制御基板ユニットを取り付けてメインユニットを構成した遊技機が提案されている。（例えば特許文献１）
この遊技機を用いれば、その台替えに際して、メインユニットを交換すると共に、外ケース、前枠、払い出しユニット、電源ユニットをそのまま利用することができ、遊技機全体を入れ替える場合に比べて、機種変更に要するコスト及び手間を大幅に削減することができる利点がある。
【０００５】
【特許文献１】
特開平１１−１１４１３２号公報
【０００６】
【発明が解決しようとする課題】
遊技機の台替えに際しては、多数の遊技機を一度に新機種に変更することが一般的であると共に、閉店後の限られた時間内に作業を完了しなければならない場合も多く、交換する部品の着脱をなるべく迅速に行なう必要がある。更に、人件費等の高騰を防止するためにも、熟練の技能等を必要とせずにアルバイト等により簡単に着脱作業を行なうことができるようにすることが望ましい。また、新旧機種の台替えに限らず、例えば飾り板が破損した場合にも、簡単且つ迅速に新たな飾り板に交換できることが好ましい。
【０００７】
しかし、上記公報には、前枠の開口にメインユニットの飾り板を挿入し、ストッパー可とうツメにより固定するとの記載はあるものの、その具体的な構成が記載されておらず、どのような態様で前枠に対して飾り板を固定しているのか全く不明である。
【０００８】
本発明は、このような従来の問題点に鑑み、前枠に対して簡単且つ迅速に飾り板を着脱することができる遊技機を提供することを目的とする。
【０００９】
【課題を解決するための手段】
本発明は、前側が開口する外ケース２と、該外ケース２の前側に開閉自在に枢着された前面パネル３と、前記外ケース２の内側に装着された変動表示手段４とを備えた遊技機において、前記前面パネル３は、前記外ケース２に枢着された前枠１３と、該前枠１３に裏側から着脱自在に取り付けられ且つ前記変動表示手段４を視認するための窓部３６が形成された飾り板１４とを備え、前記飾り板１４がその一側を支点として揺動できるように該飾り板１４の一側を前記前枠１３側に係止する係止部５１と、前記飾り板１４をその他側で前記前枠１３側に止める止め部５２とを設けたものである。
【００１０】
【発明の実施の形態】
以下、本発明の各実施形態を図面に基づいて詳細に説明する。図１〜図８は本発明をスロットマシン１において具現した第１の実施形態を例示している。図１〜図３において、１はスロットマシンで、このスロットマシン１は、前側が開口する外ケース２と、外ケース２の前側に開閉自在に枢着された前面パネル３とを備えると共に、外ケース２内に、リールユニット（変動表示手段）４、制御基板ユニット５、電源ユニット６及び払い出しユニット７を備えている。
【００１１】
外ケース２は、底板８、左右一対の側板９、裏板１０及び天板１１を有する前側開放の箱状で、上下方向の略中央に、その内部を上下に例えば略半分程度に仕切る中板１２が設けられている。両側板９は、下側ほど前方に突出するように前側が傾斜状に形成されている。なお、中板１２の上側にリールユニット４及び制御基板ユニット５が、中板１２の下側に電源ユニット６及び払い出しユニット７が夫々配置されている。
【００１２】
前面パネル３は、外ケース２に枢着された前枠１３と、前枠１３の上部側に裏側から着脱自在に装着された飾り板１４と、前枠１３の下部側に例えば前側から着脱自在に装着されたタイトル板１５とを備えている。
【００１３】
前枠１３は、外ケース２に丁度前側から重なる大きさを有し、左右方向の一方、例えば左側でヒンジ１６を介して上下方向の軸心廻りに開閉自在に外ケース２に枢着されている。前枠１３は、上部側（例えば外ケース２の中板１２の上側）の例えば大部分に略矩形状等の開口部１７が形成されると共に、その開口部１７の上側にランプ手段１８を、開口部１７の下側に遊技用の操作部１９を夫々備えている。また前枠１３は、タイトル板１５が装着されたタイトル板装着部２０を下部側（操作部１９の下側）に備え、その下側にメダル受け皿２１、灰皿２２、音声出力部２３等を備えている。なお、前枠１３は、新旧機種に汎用されるもので、機種固有のデザイン、遊技説明等は付されていない。
【００１４】
ランプ手段１８は、遊技状態に応じて、所定のパターンで点灯、点滅等を行なうようになっている。
【００１５】
操作部１９は、開口部１７の下側で前枠１３に形成された前側への張り出し部２４の上側及び前側に設けられている。張り出し部２４の上側には、例えば左側に１ベットボタン２５、２ベットボタン２６、ＭＡＸベットボタン２７が、右側にメダル投入部２８が夫々設けられ、張り出し部２４の前側には、左側にスタートレバー２９が、左右方向の略中央に、３個（複数）の停止ボタン３０が夫々設けられている。
【００１６】
各ベットボタン２５〜２７は、貯留（クレジット）されたメダルを内部処理的に投入するためのもので、１ベットボタン２５及び２ベットボタン２６の操作により、夫々１枚及び２枚のメダルを投入できると共に、ＭＡＸベットボタン２７の操作により、操作時の遊技状態における最大投入可能数のメダルを投入できるようになっている。
【００１７】
メダル投入部２８はメダルを実際に投入するためのもので、メダルを１枚ずつ投入できるようになっているが、例えば複数枚のメダルを重ねた状態で同時に投入できるように構成しても良い。
【００１８】
スタートレバー２９は、遊技開始が可能となる枚数のメダルが投入されていることを条件に、その操作により、リールユニット４の図柄表示リール３１を回転させるためのものである。
【００１９】
停止ボタン３０は、回転中の図柄表示リール３１を停止させるためのもので、３個（複数）の図柄表示リール３１に対応して左右方向に３個（複数）設けられており、その各停止ボタン３０の操作により、夫々対応する図柄表示リール３１が独立して停止するようになっている。
【００２０】
なお、前面パネル３の例えば右端側には、前面パネル３を外ケース２に対して閉状態でロックするロック手段（図示略）が設けられており、張り出し部２４の右端側にこのロック手段を操作するための鍵部３２が設けられている。
【００２１】
実施形態では、張り出し部２４（操作部１９）を前枠１３に一体に形成しているが、張り出し部２４（操作部１９）を前枠１３と別体に形成し、前枠１３に対して着脱できるように構成しても良い。
【００２２】
タイトル板装着部２０は、例えばタイトル板１５が前側から嵌合する凹部状に形成されている。タイトル板１５は、例えば機種固有のデザイン、遊技説明等が付されたもので、タイトル板装着部２０に嵌合されると共に、ねじ等により着脱自在に固定されている。
【００２３】
メダル受け皿２１は、前枠１３の下端部に左右方向に設けられており、その左側に灰皿２２が設けられている。メダル受け皿２１の上側には、その左右方向の略中央に対応して、払い出しユニット７からのメダルが排出される払い出し口３３が形成されると共に、その左右両側に一対の音声出力部２３が形成されている。
【００２４】
各音声出力部２３は、前枠１３に裏側から装着されたスピーカー（図示略）に対応して前枠１３側に複数の透孔が形成されたもので、スピーカーから出力された音声を前側へと導くようになっている。
【００２５】
飾り板１４は、図４及び図５に示すように、前枠１３の開口部１７に対応する形状で、その開口部１７を裏側から塞ぐように前枠１３に裏側から装着されている。従って、飾り板１４は、前枠１３の開口部１７を介して前側に露出されるようになっており、前側から見える部分に機種固有のデザイン、遊技説明等が付されている。なお、前枠１３の上部側、即ち開口部１７が形成された部分は、前下がりの傾斜状になっており、飾り板１４も、前枠１３に沿って前下がりの傾斜状に取り付けられている。
【００２６】
飾り板１４には、図１及び図６に示すように、リールユニット４の図柄表示リール３１に対応してその図柄表示リール３１を視認するための窓部３６が形成されると共に、例えばその左右両側及び下側に、遊技情報等を表示するための遊技情報表示部３７が、上側に、演出表示等を行なうための副表示手段３８が夫々設けられている。
【００２７】
飾り板１４は、例えば透明（無色透明又は有色透明）の前面板３９と、不透明の後面板４０とを重ね合わせた積層板からなり、例えば後面板４０の前面（及び／又は前面板３９の後面）にデザイン、遊技説明等が適宜印刷されている。
【００２８】
窓部３６は、リールユニット４の各図柄表示リール３１に対応して、後面板４０が例えば上下方向に長い長方形状に切り欠かれており、各図柄表示リール３１を透明な前面板３９を介して前側から透視できるようになっている。窓部３６からは、各図柄表示リール３１に付された遊技図柄を上下方向に３個ずつ視認できるようになっている。因みに各図柄表示リール３１には、その周方向に例えば２１個の遊技図柄が付されている。なお、各図柄表示リール３１に対応して夫々独立した窓部３６を形成しても良いし、３本の図柄表示リール３１に跨って一体に窓部３６を形成しても良い。
【００２９】
飾り板１４には、図６に示すように、遊技情報表示部３７に対応して、例えば窓部３６を左右及び下側から囲むコ字状のランプ枠４１が裏側から装着されている。ランプ枠４１には、遊技情報表示部３７の各種表示部に対応して、電球、発光ダイオード等のランプや、７セグメント式の表示部を備えた基板４１ａが裏側から装着されている。
【００３０】
遊技情報表示部３７は、図１に示すように、例えば窓部３６の下側に、図柄表示リール３１による図柄合わせゲームの結果払い出されたメダル数を表示する払い出しメダル数表示部４２、ボーナスゲーム中等に残りゲーム数（消化ゲーム数）等を表示するゲーム数表示部４３、内部処理的に貯留（クレジット）されたメダル数を表示するクレジット表示部４４等を、窓部３６の左側に、投入メダル数（そのメダル数により有効となるライン）を表示する投入メダル数表示部（有効ライン表示部）４５を、窓部３６の右側に、リプレイが入賞したときに点灯又は点滅するリプレイ報知部４６、メダルが投入可能であるときに点灯又は点滅するメダル投入可能報知部４７、遊技開始可能な枚数のメダルが投入されたときに点灯又は点滅する遊技開始可能報知部４８、ゲーム間の規定時間の消化待ち状態のときに点灯又は点滅するウェイト報知部４９等を夫々備えている。
【００３１】
副表示手段３８は例えば液晶式表示手段からなり、主表示手段（リールユニット４）側の遊技に関連する演出表示を行なうようになっている。なお、演出表示以外にも、例えばメダルの払い出し数、ボーナスゲーム中等のゲーム数表示等の遊技情報を表示することも可能である。また副表示手段３８は、液晶式以外にも、ドット式、７セグメント式等の電気的な表示手段を用いても良いし、リール式（ドラム式、ベルト式）等の機械的な表示手段を用いても良い。なお、副表示手段３８は飾り板１４に裏側からねじ等により着脱自在に装着されている。
【００３２】
飾り板１４の裏側には、図６等に示すように、副表示手段３８と窓部３６との間に対応して、蛍光灯等の照明手段５０が３本の図柄表示リール３１に跨って左右方向に設けられており、この照明手段５０により、図柄表示リール３１が上側から照明されるようになっている。
【００３３】
飾り板１４は、図５〜図８に示すように、その一側、例えば下側の係止部５１と、他側、例えば上側の止め部５２とにより、前枠１３に着脱自在に固定されている。
【００３４】
係止部５１は、飾り板１４がその下側（一側）を支点として前後方向に揺動できるように、飾り板１４をその下側（一側）で前枠１３に対して上下方向に係止するもので、例えば前枠１３側に設けられた軸部５３と、飾り板１４側に設けられ且つ軸部５３がその軸心廻りに相対回転可能に嵌合する嵌合部５４とを備えている。
【００３５】
軸部５３は左右方向の軸心を有する円柱形状で、前枠１３の開口部１７の下側に対応して左右方向に複数、例えばその左右方向の両端側及びその中間の計４カ所に設けられている。各軸部５３は、連続する円柱形状の軸固定部５３ａが一体に形成され、この軸固定部５３ａを介してブラケット５５に固定されている。なお、実施形態では中間の軸部５３を２個設けているが、１個又は３個以上設けても良い。
【００３６】
ブラケット５５は、前枠１３の開口部１７の下側に対応して左右方向に複数、例えばその左右方向の両端側及びその中間の例えば３カ所に取り付けられている。各ブラケット５５は、例えば前枠１３に裏側からねじ等により着脱自在に取り付けられる取り付け部５６と、軸固定部５３ａに巻き付けられて軸部５３を固定する固定部５７とを備え、取り付け部５６の下側から固定部５７が後ろ向きに屈曲された側面視Ｌ字状に形成されている。
【００３７】
左右両端の各軸部５３は、左右方向の外側に軸固定部５３ａが設けられており、左右両端のブラケット５５から左右方向の内側に突出するように夫々設けられている。また、中間の軸部５３は、軸固定部５３ａの左右両側に該軸固定部５３ａを介して一体に形成されており、中間のブラケット５５から左右両側に突出するように夫々設けられている。即ち、中間の各軸部５３は、共通の軸固定部５３ａを有すると共に、共通のブラケット５５により固定されている。なお、ブラケット５５の数、配置等は、軸部５３の数、配置等により適宜変更すればよい。
【００３８】
嵌合部５４は、飾り板１４の下端部に各軸部５３に対応して設けられた突出部８０，８１に形成されている。突出部８０，８１は、中間の軸部５３に対応する中間突出部８０と、左右両端の軸部５３に対応する端突出部８１とがあり、飾り板１４から裏側及び下側に突出すると共に、軸部５３の軸心方向と略直交する方向の板状に構成されている。なお、各突出部８０，８１は、飾り板１４と一体に成型しても良いし、別々に成型して、ねじ、接着剤等で固定しても良い。またランプ枠４１に一体に形成しても良いし、ランプ枠４１に固定しても良い。
【００３９】
中間突出部８０は、中間の各軸部５３に対応して各１個ずつ設けられており、その下端部に、軸部５３が相対回転可能に嵌合する例えば略逆Ｕ字状の嵌合部５４が切り欠き形成されている。従って、この実施形態では、中間のブラケット５５の左右両側に、その両側に設けられた中間の各軸部５３に対応して中間突出部８０が夫々設けられている。なお、中間突出部８０は、中間の各軸部５３に対して左右方向に各複数設けても良い。
【００４０】
端突出部８１は、左右両端の各軸部５３に対して左右に各一対ずつ設けられており、その下端部に、軸部５３が相対回転可能に嵌合する例えば略逆Ｕ字状の嵌合部５４が切り欠き形成されている。そして、左右両側の各一対の端突出部８１は、嵌合部５４に沿う断面略逆Ｕ字状の連結部５９により左右方向に連結されている。なお、本実施形態では、連結部５９を嵌合部５４に沿って設けているため、連結部５９にも軸部５３が相対回転可能に下側から嵌合するようになっているが、連結部５９は一対の端突出部８１を左右方向に連結する構成であれば、必ずしも嵌合部５４に沿って設けなくても良い。その場合、連結部５９は、端突出部８１のなるべく下側に対応して設けることが望ましい。
【００４１】
また、左右両端のブラケット５５の固定部５７は、一対の端突出部８１の内、外側の端突出部（即ち左右両端の突出部）８１が左右方向の内側から当接する当接部５５ａとなっており、飾り板１４が左右方向に過度に移動しないように規制するようになっている。なお、端突出部８１と当接部５５ａとを左右方向に僅かに離間させておき、飾り板１４が左右方向に移動したときに当接するようにしても良いし、常に左右の一方又は双方で端突出部８１と当接部５５ａとを当接させておいても良い。なお、ブラケット５５の形状等は実施形態に限定されるものでなく、左右両端のブラケット５５に、端突出部８１が左右方向の内側から当接する当接部５５ａが少なくとも形成されていればよい。
【００４２】
因みに、中間のブラケット５５及び中間突出部８０は、端突出部８１が当接部５５ａに当接したときに互いに当接しないように夫々配置されており、連結部５９により連結されていない中間突出部８０が破損することもない。
【００４３】
なお、左右両端の軸部５３をブラケット５５の左右方向の外側に設けても良く、その場合には、ブラケット５５の外側面により当接部５５ａを形成し、この当接部５５ａに一対の端突出部８１の内、内側の端突出部８１を外側から当接させるようにしても良い。
【００４４】
また、係止部５１により飾り板１４が係止されているときに、中間の軸部５３と中間突出部８０の嵌合部５４とが遊嵌状に嵌合して接触しないように構成しておき、飾り板１４の左右方向の中間部が前後方向に撓んだときに、その撓みを規制すべく中間の軸部５３と中間突出部８０の嵌合部５４とが接触するように構成しても良い。
【００４５】
止め部５２は、図５〜図８に示すように、下側が係止部５１により係止された飾り板１４の上側を前枠１３側に着脱自在に固定するもので、例えば飾り板１４の上側に対応して左右方向に複数、例えば左右両側の２カ所に設けられている。各止め部５２は、前枠１３に固定された前枠１３側の止め部材６０と、飾り板１４の上端に固定された飾り板１４側の止め部材６１と、その両止め部材６０，６１を固定するねじ６２とを備えている。なお、各止め部材６０，６１は、例えばステンレス等の金属製でも良いし、合成樹脂製でも良い。
【００４６】
前枠１３側の止め部材６０は、例えば、前面板６３、連結板６４及び後面板６５を有する断面が下側に開放する略コ字状に形成され、その前面板６３がねじ６６等により前枠１３に着脱自在に固定されている。飾り板１４側の止め部材６１は、飾り板１４の上端部にねじ６７等により着脱自在に固定された前面板６８と、該前面板６８の上端に裏側に突出するように略直角に連結された連結板６９と、該連結板６９の後端に上側に突出するように略直角に連結された後面板７０とを一体に備えている。そして、飾り板１４が前枠１３への装着位置にあるときに、飾り板１４側の止め部材６１の後面板７０が、前枠１３側の止め部材６０の後面板６５に裏側から当接するようになっており、それら両後面板６５，７０がねじ６２により着脱自在に固定されている。なお、各止め部材６０，６１は、夫々前枠１３、飾り板１４と一体に成型しても良い。
【００４７】
飾り板１４は、係止部５１と止め部５２とにより前枠１３に固定された状態では、開口部１７の周囲で前枠１３に裏側から略当接するようになっている。なお、開口部１７の周囲に対応して前枠１３に裏側から例えば軟質の合成樹脂、ゴム等の弾性材を装着しておき、飾り板１４が前枠１３側に固定されたときに、前枠１３と飾り板１４との間にこの弾性材が介在されるようにしても良い。
【００４８】
リールユニット４は、図３に示すように、外周面に多数の遊技図柄が付された３個（複数個）の図柄表示リール３１と、各図柄表示リール３１を独立して左右方向の軸心廻りに回転駆動する駆動手段７１と、各図柄表示リール３１の回転位置を検出する検出手段（図示略）と、それらが取り付けられた枠体７２とを備えている。
【００４９】
リールユニット４は、外ケース２の中板１２の上側に配置され、例えば枠体７２が中板１２に対してねじ等により着脱自在に固定されている。なお、リールユニット４の外ケース２への着脱を容易にするために、外ケース２の中板１２の上側に前後方向のレールを１本又は複数本敷設し、このレールによりリールユニット４を前後方向に案内するように構成しても良い。
【００５０】
外ケース２側には、図３及び図４に示すように、飾り板１４を前枠１３から裏側に外れないように支持する支持部７３が設けられている。支持部７３は例えば円柱棒状で、飾り板１４の下部側に対応して、外ケース２の左右の側板９に内側から取付具７３ａにより取り付けられており、外ケース２に対して前面パネル３が閉状態となったときに、飾り板１４に裏側から略当接するようになっている。なお、支持部７３は、本実施形態では係止部５１側、即ち飾り板１４の下部側に対応して設けているが、例えば止め部５２側（飾り板１４の上部側）に設けても良い。また支持部７３は、飾り板１４の左右に対応して２個設ける以外にも、例えば飾り板１４の上下左右に対応して４個設けても良い。
【００５１】
支持部７３は、先端に軟質の合成樹脂、ゴム等の弾性材からなる緩衝部７４を備え、この緩衝部７４で飾り板１４に当接するようになっている。また支持部７３は、略水平に設けても良いし、飾り板１４に対して略直角となるように例えば前上がりの傾斜状に設けても良い。
【００５２】
なお、実施形態では支持部７３が飾り板１４に当接するように構成しているが、前面パネル３が閉状態となったときに、飾り板１４に裏側から近接して、飾り板１４の前枠１３からの外れを防止するように構成しても良い。
【００５３】
また支持部７３は、外ケース２の側板９に取り付ける以外にも、外ケース２の例えば中板１２に取り付けても良いし、リールユニット４の枠体７２に取り付けても良い。更に支持部７３は、飾り板１４に裏側から当接又は近接するように設ける以外にも、例えばランプ枠４１又は基板４１ａに裏側から当接又は近接するように設けても良いし、副表示手段３８に裏側から当接又は近接するように設けても良い。
【００５４】
制御基板ユニット５は、図２及び図３に示すように、基板ケース７５と、この基板ケース７５に収容された主制御基板、副制御基板等の基板７６とを備え、例えばリールユニット４の枠体７２に例えば上側から着脱自在に装着されている。なお、制御基板ユニット５は、外ケース２の内側に着脱自在に装着されておれば良く、その側板９、裏板１０、天板１１等に装着しても良い。また、制御基板ユニット５は少なくとも主制御基板を備えていれば良く、副制御基板は別に設けても良い。
【００５５】
なお、主制御基板は、主として図柄表示リール３１による図柄合わせゲーム、この図柄合わせゲームの結果に応じたメダルの払い出し等を制御するものである。また副制御基板は、主制御基板の制御に関連して、例えば副表示手段３８等による演出表示等を制御するためのものである。
【００５６】
払い出しユニット７は、図３に示すように、外ケース２の底板８上に着脱自在に装着されており、図柄表示リール３１による図柄合わせゲームの結果、その停止図柄が所定の態様となったときに、その態様に応じた枚数のメダルをメダル受け皿２１に払い出すようになっている。電源ユニット６は、例えば外ケース２の底板８上で払い出しユニット７と隣に着脱自在に装着され、例えば電源スイッチ、リセットスイッチ、設定スイッチ等の操作部を有している。
【００５７】
次に、上記構成のスロットマシン１の新機種への台替えを行なう際の説明をする。台替えの際には、新旧機種で異なる部分、例えば飾り板１４、タイトル板１５、リールユニット４及び制御基板ユニット５を交換する。
【００５８】
リールユニット４及び制御基板ユニット５の交換に際しては、先ず、それらと他の部分との間の配線を外した後、外ケース２の中板１２からリールユニット４を取り外す。なお、リールユニット４の枠体７２に制御基板ユニット５を取り付けているので、リールユニット４と一体に制御基板ユニット５を取り外すことができる。そして、新機種のリールユニット４及び制御基板ユニット５を中板１２の上側に装着し、次いで必要な配線を接続すれば、リールユニット４及び制御基板ユニット５の交換が完了する。
【００５９】
飾り板１４の交換に際しては、他の部分との配線を外した後、飾り板１４を前枠１３から取り外す。その際、先ず、前面パネル３を外ケース２に対して開状態としておき、飾り板１４の上側の止め部５２のねじ６２を取り外す。すると、飾り板１４が、下側の係止部５１を支点として前後方向に揺動可能となるので、係止部５１を支点として飾り板１４の上部側を適当に裏側に回転させた後、飾り板１４を上側へ引き上げて係止部５１の軸部５３と嵌合部５４との係合を解除すれば、飾り板１４を簡単に前枠１３から取り外すことができる。
【００６０】
次に、新機種の飾り板１４を前枠１３に装着する。その際、先ず、飾り板１４を前枠１３の開口部１７よりも前下がりに傾けた状態で、その下端部の嵌合部５４を前枠１３側の軸部５３に嵌合させて、係止部５１により飾り板１４の下側を係止した後、その係止部５１を支点として飾り板１４の上部側を前側に回転させる。すると、飾り板１４が前枠１３の開口部１７の周囲に裏側から略当接する装着姿勢となったときに、止め部５２の両止め部材６０，６１の両後面板６５，７０が前後方向に当接するので、その両後面板６５，７０をねじ６２により固定し、次いで必要な配線を接続すれば、飾り板１４の前枠１３への装着が完了する。
【００６１】
なお、副表示手段３８及びランプ枠４１等は飾り板１４と一体に新たなものと交換すればよいが、新旧機種で汎用しても良い。その場合には、古い飾り板１４からランプ枠４１及び／又は副表示手段３８を取り外し、そのランプ枠４１及び／又は副表示手段３８を新しい飾り板１４に装着するようにしても良い。
【００６２】
タイトル板１５の交換に際しては、前枠１３のタイトル板装着部２０からタイトル板１５を取り外し、新機種のタイトル板１５をタイトル板装着部２０に嵌合してねじ止めする。
【００６３】
このように、リールユニット４、制御基板ユニット５、飾り板１４、タイトル板１５を新機種のものに交換すれば、前面側のデザイン、遊技説明等及び内部的な遊技性を全て新機種のものとすることができ、外ケース２、前枠１３、払い出しユニット７、電源ユニット６等を旧機種のまま交換しなくても良いので、遊技機全体を交換する場合に比べて、安価に新機種への台替えを行なうことができる。また、スロットマシン１等の遊技機は非常に重たいため、その全体を交換するとすれば相当の人員、時間が必要となるのに対し、本実施形態ではその一部のみを交換するだけなので、非常に簡単に台替えを行なうことができる。
【００６４】
取り分け、飾り板１４がその一側を支点として揺動できるように飾り板１４の一側を前枠１３側に係止する係止部５１と、飾り板１４をその他側で前枠１３側に止める止め部５２とを設けているので、飾り板１４を持ちやすい状態で係止部５１により係止した後に、その係止部５１を支点として飾り板１４を所定の装着姿勢まで揺動させて、飾り板１４の他側を止め部５２により前枠１３側に止めれば良く、非常に簡単に飾り板１４を装着することができる。
【００６５】
また、前面パネル３が閉状態のときに飾り板１４に裏側から当接又は近接し且つ飾り板１４を前枠１３から外れないように支持する支持部７３を、外ケース２側に設けているので、飾り板１４の一側（係止部５１側）をねじ止め等しなくても、飾り板１４の前枠１３から裏側への外れを確実に防止することができる。
【００６６】
左右方向の軸心を有する軸部５３を、飾り板１４の下側で且つ飾り板１４の左右両端側とその中間とに対応して、前枠１３側に左右方向に複数設け、飾り板１４側に、飾り板１４から下側に突出し且つ軸部５３と略直交する板状に形成された突出部８０，８１を、左右両端の各軸部５３に対応して各一対、中間の軸部５３に対応して少なくとも１個ずつ設けると共に、各突出部８０，８１に、軸部５３が下側から嵌合する嵌合部５４を切り欠き形成し、左右両端の各軸部５３に対応する各一対の端突出部８１を、嵌合部５４に沿って左右方向に連結しているので、左右両端の軸部５３に対応する嵌合部５４が形成された端突出部８１の強度を高めることができる。
【００６７】
従って、例えば飾り板１４側の嵌合部５４を前枠１３側の軸部５３に嵌合させる際に、飾り板１４を左右方向に傾けてその左右方向の一端側の嵌合部５４から軸部５３に嵌合すれば、飾り板１４の左右方向の位置を簡単に決めることができる反面、左右方向の一端の突出部８１に過度の負荷がかかるといった問題が生じるが、左右両端の軸部５３に対応して各一対の端突出部８１を設けると共に、この一対の端突出部８１を連結部５９により左右方向に連結しているので、端突出部８１の破損の惧れを少なくすることができる。
【００６８】
また、左右方向の両方で一対の端突出部８１を連結部５９により連結しているので、左右のどちらからでも位置合わせが可能である。しかも、嵌合部５４に沿って連結部５９を設けているので、嵌合部５４及び連結部５９の軸部５３への接触面積が大きく、負荷を拡散することができる。更に、飾り板１４の左右方向の中間に対応して中間突出部８０を形成し、この中間突出部８０に、中間の軸部５３が下側から嵌合する嵌合部５４を形成しているので、飾り板１４の中間部分の前後方向への撓みを防止することができる。
【００６９】
前枠１３側に、飾り板１４の左右両端側とその中間とに対応してブラケット５５を左右方向に複数設け、中間のブラケット５５の左右両側に中間の軸部５３を夫々設けると共に、左右両端のブラケット５５の左右方向の内側に左右両端の軸部５３を夫々設け、左右両端のブラケット５５に、左右両端の突出部８１が左右方向の内側から当接する当接部５５ａを形成しているので、ブラケット５５により簡単に飾り板１４を左右方向に規制することができる。また一対の端突出部８１を連結部５９により左右方向に連結しているので、板状の端突出部８１をブラケット５５の当接部５５ａに当接させるにもかかわらず、その端突出部８１の破損の惧れを少なくすることができる。
【００７０】
なお、実施形態では、飾り板１４、タイトル板１５、リールユニット４、制御基板ユニット５を交換して、遊技台を新機種に台替えする際の説明をしたが、台替えに限らず、少なくとも飾り板１４を交換する際に、本発明の構成は有用である。例えば、飾り板１４が破損した場合にも、その他の部分を交換することなく、飾り板１４を簡単且つ迅速に交換することができる。
【００７１】
図９及び図１０は本発明の第２の実施形態を例示している。この実施形態は、止め部５２に、弾性係合片８３と、この弾性係合片８３が係脱自在に係合する被係合部８４とを備えたものである。なお、止め部５２以外の部分は、例えば第１の実施形態と略同様に構成されている。
【００７２】
弾性係合片８３は、例えば飾り板１４の上端部に設けられ、飾り板１４から上側及び裏側に突出している。弾性係合片８３は、例えば適度に弾性を有する合成樹脂製で、飾り板１４（その前面板３９又は後面板４０）と一体に成型しても良いし、別々に成型して接着剤、ねじ等により飾り板１４に固定しても良い。
【００７３】
この弾性係合片８３は、飾り板１４の上端部から上側及び裏側に突出するように側面視概略Ｓ字状に形成されており、全体が上下方向に弾性変形可能に構成されると共に、上面側に突起部８５が形成され、この突起部８５から後ろ上方に操作部８６が延設されている。
【００７４】
被係合部８４は、弾性係合片８３の上側に対応して前枠１３側に設けられ、例えば前枠１３から裏側に突出する板状に形成されている。被係合部８４には、飾り板１４が前枠１３に対して装着姿勢となったときに、弾性係合片８３の突起部８５が係合する係合孔８７が形成されている。弾性係合片８３の突起部８５には、前側に前下がりの傾斜面８５ａが形成されると共に、後ろ側に上下方向の係合面８５ｂが形成されており、この係合面８５ｂと係合孔８７の内面とが前後方向に係合し、この係合により飾り板１４の上部側の裏側への移動が規制され、飾り板１４の上部側が前枠１３に固定されるようになっている。なお、止め部５２（弾性係合片８３及び被係合部８４）は、左右方向に１又は複数、例えば２個設けられている。
【００７５】
なお、開口部１７の周囲に対応して前枠１３に裏側から例えば軟質の合成樹脂、ゴム等の弾性材を設けておき、飾り板１４が前枠１３側に固定されたときに、前枠１３と飾り板１４との間にこの弾性材が介在されるようにしても良く、弾性係合片８３を被係合部８４に強固に係合させることができる。
【００７６】
この実施形態の飾り板１４を前枠１３に取り付ける際には、飾り板１４の上部側を前枠１３から後側に離した状態で、その下端部を係止部５１により前枠１３側に係止し、次いでその係止部５１を支点として飾り板１４の上部側が前枠１３に近づくように回転させていけば良く、弾性係合片８３の突起部８５の傾斜面８５ａと被係合部８４との接触により弾性係合片８３が下側に変形し、例えば飾り板１４が前枠１３の開口部１７の周囲に当接する装着姿勢となったときに、弾性係合片８３の形状が上側に戻ってその突起部８５が被係合部８４の係合孔８７に下側から嵌合し、この突起部８５の係合面８５ｂと係合孔８７の内面とが前後に係合するので、簡単に飾り板１４を前枠１３に固定することができる。
【００７７】
また、前枠１３から飾り板１４を取り外すときは、突起部８５から後側に延長された操作部８６を下側に操作することにより突起部８５と係合孔８７との係合が解除されるので、そのまま係止部５１を支点として、飾り板１４の上部側が前枠１３から離れる方向に若干回転させ、次いで飾り板１４を若干上に持ち上げて係止部５１の係止を解除すれば、飾り板１４を簡単に前枠１３から取り外すことができる。
【００７８】
このように、止め部５２は、止め部材６０，６１を用いてねじ止めする以外にも、弾性係合片８３及び被係合部８４により構成しても良い。この場合、ねじ止めの必要がなく、ワンタッチで飾り板１４を前枠１３に装着することができる。また、弾性係合片８３と被係合部８４とが前後方向に係合するように構成しているので、飾り板１４の下端部を係止部５１により前枠１３側に係止し、その係止部５１を支点として飾り板１４の上部側を前向きに回転させれば、弾性係合片８３が被係合部８４に自然に係合し、煩わしい作業を必要とすることなく、簡単に飾り板１４を固定することができる。
【００７９】
図１１及び図１２は本発明の第３の実施形態を例示している。この実施形態は、止め部５２の弾性係合片８３及び被係合部８４の変形例を示している。本実施形態の弾性係合片８３は、飾り板１４の上端部に前側に開放する側面視略コ字状に設けられており、その上面の前端側に上方に突出する突起部８５が形成されている。突起部８５は、第２の実施形態と略同様に構成され、前側の傾斜面８５ａと後側の係合面８５ｂとを備え、この係合面８５ｂが被係合部８４の係合孔８７の内面に前側から係合するようになっている。
【００８０】
本実施形態の飾り板１４も、第２の実施形態と同様にワンタッチで前枠１３に装着することができる。本実施形態では、弾性係合片８３と被係合部８４との係合を解除するための操作部８６を特に設けていないが、係合孔８７の上側から指又は適当な工具により弾性係合片８３を下側に弾性変形させれば、簡単にその係合を解除することができる。
【００８１】
図１３は本発明の第４の実施形態を例示している。この実施形態では、支持部７３を飾り板１４の止め部５２側（上部側）に対応して設けている。即ち、本実施形態の支持部７３は、前面パネル３が閉状態となったときに、飾り板１４の止め部５２側（係止部５１と反対側の辺寄り）に当接又は近接するようになっている。また、支持部７３は、例えば前枠１３の開口部１７の上端縁近傍に対応して飾り板１４に裏側から当接又は近接するようになっている。
【００８２】
なお、支持部７３は例えば第１の実施形態と同様に外ケース２の両側板９に内側から取付具７３ａを介して取り付けられているが、外ケース２の中板１２に取り付けても良いし、リールユニット４の枠体７２に取り付けても良い。
【００８３】
本実施形態のように、支持部７３は飾り板１４の止め部５２側（係止部５１と反対側）に対応して設けても良い。なお、本実施形態は、第１の実施形態のようなねじ止め式の止め部５２と併せて適用しても良いし、第２又は第３の実施形態のような係合式の止め部５２と併せて適用しても良く、止め部５２による飾り板１４と前枠１３との固定が不用意に外れたとしてもても、係止部５１と支持部７３とにより飾り板１４を前枠１３側に安定的に保持しておくことができる。
【００８４】
また、第１の実施形態では支持部７３を飾り板１４の係止部５１側に設け、本実施形態では止め部５２側に設けているが、支持部７３を飾り板１４の係止部５１側と止め部５２側の両方に設けても良い。
【００８５】
図１４及び図１５は本発明の第５の実施形態を例示している。本実施形態では係止部５１の軸部５３を飾り板１４側に、嵌合部５４を前枠１３側に夫々設けている。
【００８６】
軸部５３は、例えば左右方向に軸心を有する略円柱形状に形成され、飾り板１４の下端部に設けられた左右に相対する一対の突出部９０を連結するように設けられている。また軸部５３は、左右方向に１又は複数、例えば３個設けられており、各軸部５３に対応して各一対の突出部９０が形成されている。突出部９０は、飾り板１４の下端部にその裏側及び下側に突出するように一体に形成されると共に、軸部５３の軸心方向と略直交する板状に構成されており、飾り板１４よりも下側及び裏側の位置に軸部５３が設けられている。
【００８７】
嵌合部５４は、前枠１３から裏側に突出する突出部９１に、略Ｕ字状に切り欠き形成されている。なお、嵌合部５４は、その開口が上向き乃至後ろ上向きであることが好ましい。嵌合部５４用の突出部９１は、各軸部５３に対して各一対設けられると共に、飾り板１４用の突出部９０と略平行となるように形成され、軸部５３用の一対の突出部９０の間に例えば丁度嵌合するように配置されている。そして、嵌合部５４用の突出部９１は、軸部５３用の一対の突出部９０に内側から当接して、飾り板１４を左右方向に規制するようになっている。なお、嵌合部５４用の一対の突出部９１を左右方向に連結して補強する連結部を、その突出部９１の先端側に対応して設けても良い。
【００８８】
本実施形態の飾り板１４を前枠１３に装着する場合には、飾り板１４の下側の軸部５３を前枠１３の開口部１７の下側に形成された嵌合部５４に上側から嵌合して、飾り板１４の下側を前枠１３側に係合部５１により係止し、その係止部５１を支点として飾り板１４を回転させて、飾り板１４を開口部１７の周囲で前枠１３に略当接する装着姿勢とし、止め部５２により飾り板１４の上部側の前枠１３に止めればよい。なお、止め部５２は、何れかの実施形態と同様に構成すればよく、ねじ止め式でも、係合式でも良い。
【００８９】
このように係止部５１の軸部５３及び嵌合部５４は、夫々が飾り板１４及び前枠１３の一方及び他方に設けられておればよく、軸部５３が嵌合部５４に嵌合されることにより飾り板１４を前枠１３側に係止した状態で、その係止部５１を支点として飾り板１４を前後方向に揺動できる構成であれば、軸部５３及び嵌合部５４の構成は適宜変更可能である。
【００９０】
図１６及び図１７は本発明の第６の実施形態を例示している。この実施形態では、係止部５１を飾り板１４の上側に設けると共に、止め部５２を飾り板１４の下側に設けている。なお、係止部５１及び止め部５２は、左右方向に複数、例えば２個ずつ設けられているが、１個若しくは３個以上設けても良い。
【００９１】
係止部５１は、前枠１３側に設けられた軸部５３と、飾り板１４側に設けられ且つ軸部５３がその軸心廻りに相対回転可能に嵌合する嵌合部５４とを備えている。軸部５３は、例えば前枠１３から裏側に突出する一対の板状の突出部９３を左右方向に連結するように設けられ、略円柱形状に構成されている。
【００９２】
嵌合部５４は、例えば側面視略倒立Ｊ形状に形成され且つその円弧部分が軸部５３に上側及び裏側から嵌合するように飾り板１４の上端に取り付けられた金属製、合成樹脂製等の嵌合部材９４により構成されている。嵌合部材９４の幅寸法は一対の突出部９３間の寸法よりも僅かに小さくなっており、嵌合部材９４の側縁が突出部９３に当接することにより飾り板１４が左右方向に規制されるようになっている。なお、嵌合部材９４（嵌合部５４）は飾り板１４に一体に形成しても良い。
【００９３】
止め部５２は、飾り板１４に下側に突出するように固定された止め部材９５と、前枠１３側に形成され且つ飾り板１４が装着姿勢のときに止め部材９５が裏側から当接するボス部９６と、止め部材９５をボス部９６に着脱自在に固定するねじ９７とを備えている。なお、止め部材９５を設けずに、飾り板１４をボス部９６に直接固定しても良い。
【００９４】
本実施形態の飾り板１４を前枠１３に装着する際には、先ず係止部５１の嵌合部５４を上側から軸部５３に嵌合する。すると、嵌合部５４と軸部５３との係合により、飾り板１４が前枠１３側に係止されると共に、その係止部５１を支点として飾り板１４が前後方向に揺動可能な状態となるので、飾り板１４の下部側が前枠１３に近づく方向に飾り板１４を回転させる。すると、飾り板１４が装着姿勢となったときに、止め部５２の止め部材９５とボス部９６とが当接するので、止め部材９５をねじ９７によりボス部９６に固定すれば、前枠１３に飾り板１４を取り付けることができる。
【００９５】
また前枠１３から飾り板１４を取り外すときには、止め部５２のねじ９７を取り外せば、前枠１３と飾り板１４との固定が解除されるので、飾り板１４を若干上側に持ち上げて係止部５１の嵌合部５４と軸部５３の係合を解除すれば、飾り板１４を前枠１３から取り外すことができる。なお、実施形態では、前枠１３の開口部１７の周囲が前下がりに傾斜しているので、止め部５２による固定を解除すれば、飾り板１４が上側の係止部５１を支点として自然に回転し、飾り板１４の下部側が前枠１３から離間するので、簡単に飾り板１４を把持することができ、飾り板１４の着脱作業を迅速に行なうことができる。
【００９６】
また、本実施形態では、係止部５１により飾り板１４をぶら下げた状態で保持することができるので、止め部５２により飾り板１４の下側を固定する前に、飾り板１４から手を離すことが可能となる。従って、飾り板１４を係止部５１により係止させる作業と、飾り板１４を止め部５２により止める作業とを分担してすることもでき、飾り板１４の交換作業を効率よく行なうことができる。
【００９７】
このように、係止部５１及び止め部５２は、飾り板１４の例えば上下方向の一側及び他側に夫々設けられておれば良く、それらの上下を入れ替えることも可能である。なお、係止部５１を飾り板１４の左右方向の一方に設けると共に、止め部５２を左右方向の他方に設けても良い。
【００９８】
図１８は本発明の第７の実施形態を例示している。この実施形態では、飾り板１４が前枠１３から裏側へ外れないように支持する支持部７３を、前後方向（支持部７３の軸心方向）に進退自在に設けると共に、この支持部７３を前側（飾り板１４側）に付勢する付勢手段９９を設けたものである。
【００９９】
即ち、１００は飾り板１４が前枠１３から裏側へ外れないように支持する支持装置で、この支持装置１００は、例えば外ケース２の各側板９に内側から取り付けられた前後方向の受け部１０１と、この受け部１０１に前後方向に進退自在に嵌合し且つ飾り板１４に裏側から当接する支持部７３と、支持部７３の先端側に設けられたストッパー１０２と受け部１０１との間で支持部７３に套嵌されたコイルバネ１０３とを備えている。
【０１００】
受け部１０１は円筒状の部材で、その内部に円柱状の支持部７３が前後方向に摺動自在に嵌合されている。なお、支持部７３の後端部には、受け部１０１からの抜けを防止するフランジ状の抜け止め部１０４が形成されている。ストッパー１０２は例えばフランジ状で、支持部７３の先端側に一体又は別体に設けられており、このストッパー１０２を介して支持部７３がコイルバネ１０３により前側に付勢されている。
【０１０１】
なお、支持部７３の前端には、他の実施形態と同様に、軟質の合成樹脂、ゴム等からなる緩衝部７４が設けられている。また、実施形態では支持部７３に套嵌されたコイルバネ１０３により付勢手段９９を構成しているが、付勢手段９９は支持部７３を前側に付勢可能であればコイルバネ１０３に限定されるものではない。
【０１０２】
このように支持部７３を前後方向に進退自在に設けると共に、この支持部７３を前側に付勢する付勢手段９９を設け、支持部７３により飾り板１４を前枠１３側に押さえつけて、飾り板１４の前枠１３から裏側への外れを防止するようにしても良い。また支持部７３の先端に緩衝部７４を設けているので、前枠１３の開閉時等の飾り板１４等への衝撃を和らげることができ、その破損等を防止することができる。
【０１０３】
なお、本実施形態の支持装置１００（支持部７３）も、他の実施形態の支持部７３同様、配置を適宜設定可能であり、外ケース２の中板１２等に取り付けても良いし、リールユニット４の枠体７２に取り付けても良い。また、係止部５１、止め部５２等の構成に応じて、支持装置１００（支持部７３）の飾り板１４に対する配置、個数等も適宜設定可能である。更に、支持部７３が飾り板１４と略直角となるように、支持部７３を前上がりの傾斜状に設けても良く、その場合には、支持部７３をその軸心方向に進退自在に設けると共に、その軸心方向に沿って支持部７３を前側に付勢する付勢手段９９を設ければよい。
【０１０４】
図１９は本発明の第８の実施形態を例示している。この実施形態では、支持部７３をリールユニット４の枠体７２に固定すると共に、リールユニット４を前側に付勢する付勢手段１０６を設けたものである。
【０１０５】
外ケース２の中板１２には、その上面側に前後方向のガイドレール１０７が１又は複数本設けられ、このガイドレール１０７によりリールユニット４の枠体７２が前後方向に摺動自在に支持されている。
【０１０６】
リールユニット４の例えば裏側には、該リールユニット４を前側に付勢するための付勢手段１０６が設けられている。なお、付勢手段１０６としてはバネその他の公知の付勢装置を適宜使用すればよい。また、ガイドレール１０７には、リールユニット４の前側に対応して、前面パネル３を開放したとき等にリールユニット４が前側に脱落しないように、リールユニット４の前側への移動を規制するストッパー１０８が設けられている。なお、このストッパー１０８はガイドレール１０７に対して着脱可能となっており、リールユニット４を交換する際などに取り外すことができるようになっている。
【０１０７】
この実施形態では、支持部７３をリールユニット４の枠体７２に固定すると共に、リールユニット４を前側に付勢する付勢手段１０６を設けているので、付勢手段１０６によりリールユニット４ごと支持部７３を飾り板１４等に押さえつけることにより、飾り板１４を確実に支持することができると共に、飾り板１４とリールユニット４との間の間隔を常に一定に保持することができる。なお、他の実施形態と同様に、支持部７３の先端に緩衝部７４を設けても良い。
【０１０８】
図２０は本発明の第９の実施形態を例示している。この実施形態の遊技機（スロットマシン１）は、前側が開放する外ケース２と、この外ケース２の前側に開閉自在に枢着された前面パネル３と、外ケース２の内側に装着された変動表示手段（リールユニット４）とを備えた遊技機において、前面パネル３は、外ケース２に枢着された前枠１３と、前枠１３に裏側から着脱自在に取り付けられ且つ変動表示手段（リールユニット４の図柄表示リール３１）を視認するための窓部３６が形成された飾り板１４とを備え、この飾り板１４に副表示手段３８を取り付けると共に、外ケース２側に、前面パネル３が閉状態のときに飾り板１４に裏側から当接又は近接し且つ飾り板１４を前枠１３から外れないように支持する支持部７３を設けたものである。
【０１０９】
本実施形態の飾り板１４は、例えば、前枠１３側に設けられた受け部１１０により下側から受けられると共に、上部側が止め部５２により前枠１３側に止められている。受け部１１０は例えば上側に開放する断面コ字状に形成され、前枠１３側にその開口部１７の下側に対応して左右方向に設けられており、飾り板１４の下端部が上側から嵌合されている。止め部５２は第１の実施形態と略同様に構成されており、飾り板１４の下端部を受け部１１０に嵌合した状態でその上部側を前枠１３側に固定するようになっている。なお、本実施形態の飾り板１４は、前枠１３に裏側から着脱自在に取り付けられておれば十分であり、その取り付け構造は適宜変更可能である。例えば何れかの実施形態と同様に係止部５１及び止め部５２により飾り板１４を前枠１３側に固定しても良い。
【０１１０】
支持部７３は、例えば飾り板１４の止め部５２側（上部側）に対応して設けられており、止め部５２による固定が外れたとしても、受け部１１０と支持部７３とにより飾り板１４を前枠１３側に保持しておくことができるようになっている。なお、支持部７３は、飾り板１４の下部側、上下両側等に対応して設けても良い。また支持部７３は、他の実施形態と同様に、外ケース２の側板９、中板１２又はリールユニット４の枠体７２等に装着すればよい。
【０１１１】
副表示手段３８は遊技状態に応じて所定の演出図柄を表示するもので、リールユニット４（変動表示手段）とは別々に設けられている。副表示手段３８には、例えば液晶式の表示手段を使用しているが、ドット式、７セグメント式、ドラム式、ベルト式等の表示手段を使用しても良い。また副表示手段３８は、例えばリールユニット４の上側に対応して、飾り板１４にねじ等により着脱自在に装着されているが、リールユニット４の横側、下側等に配置しても良い。
【０１１２】
本実施形態によれば、前面パネル３に、前枠１３と、前枠１３に裏側から着脱自在に装着された飾り板１４とを備えると共に、この飾り板１４に副表示手段３８を取り付けているので、例えば機種変更の際に飾り板１４と共に副表示手段３８も簡単に取り替えることができる。また、外ケース２側に、前面パネル３が閉状態のときに飾り板１４に裏側から当接又は近接し且つ飾り板１４を前枠１３から外れないように支持する支持部７３を設けているので、飾り板１４が前枠１３から不用意に外れることを防止でき、副表示手段３８の故障等も未然に防止することができる。
【０１１３】
図２１は本発明の第１０の実施形態を例示している。この実施形態の遊技機（スロットマシン１）は、前側が開口する外ケース２と、その外ケース２の前側に開閉自在に枢着された前面パネル３と、外ケース２の内側に装着された変動表示手段（リールユニット４）とを備えた遊技機において、前面パネル３は、外ケース２に枢着された前枠１３と、前枠１３に裏側から着脱自在に取り付けられ且つ変動表示手段（リールユニット４の図柄表示リール３１）を視認するための第１窓部１１１が形成された飾り板１４とを備え、外ケース２内に変動表示手段とは別の副表示手段３８を着脱自在に取り付けると共に、飾り板１４に副表示手段３８を視認するための第２窓部１１２を形成し、外ケース２側に、前面パネル３が閉状態のときに飾り板１４に裏側から当接又は近接し且つ飾り板１４を前枠１３から外れないように支持する支持部７３を設けたものである。
【０１１４】
副表示手段３８は遊技状態に応じて所定の演出図柄を表示するもので、リールユニット４（変動表示手段）とは別々に設けられている。副表示手段３８には、例えば液晶式の表示手段を使用しているが、ドット式、７セグメント式、ドラム式、ベルト式等の表示手段を使用しても良い。副表示手段３８は、例えばリールユニット４の枠体７２の上側に着脱自在に装着されているが、リールユニット４と別々に外ケース２の内側に着脱自在に装着しても良い。なお、副表示手段３８は、リールユニット４（図柄表示リール３１）の上側に配置する以外にも、例えばその横側、下側等に配置しても良い。
【０１１５】
飾り板１４には、リールユニット４の図柄表示リール３１を視認するための第１窓部１１１と、副表示手段３８を視認するための第２窓部１１２とが形成されている。なお、各窓部１１１，１１２は、第１の実施形態の窓部３６と同様に、飾り板１４の後面板４０に形成された切り欠き部１１１ａ，１１２ａにより構成されており、透明な前面板３９を透して図柄表示リール３１及び副表示手段３８を視認できるようになっている。なお、飾り板１４は、例えば第９の実施形態と同様に受け部１１０と止め部５２とにより前枠１３側に装着されているが、前枠１３に裏側から着脱自在に装着されていれば、その取り付け構造は適宜変更可能である。例えば何れかの実施形態と同様に係止部５１及び止め部５２により飾り板１４を前枠１３側に固定しても良い。
【０１１６】
支持部７３は、例えば飾り板１４の止め部５２側（上部側）に対応して設けられているが、飾り板１４の受け部１１０側（下部側）、上下両側等に対応して設けても良い。なお、支持部７３は、飾り板１４の左右両側に対応して設けられており、第２窓部１１２の切り欠き部１１２ａの左右両側に対応して飾り板１４に裏側から当接又は近接するようになっている。また、支持部７３は、他の実施形態と同様に、外ケース２の側板９、中板１２又はリールユニット４の枠体７２等に装着すればよい。
【０１１７】
本実施形態のように、副表示手段３８を外ケース２の内側に取り付けても良い。この場合、他の実施形態と同様に液晶式の副表示手段３８を使用しても良いが、ドラム式、ベルト式等の比較的大型で飾り板１４に装着しがたい副表示手段３８においても有用である。
【０１１８】
以上、本発明の各実施形態を例示したが、本発明は実施形態に限定されるものではなく、本発明の趣旨を逸脱しない範囲で種々の変更が可能である。
【０１１９】
例えば、実施形態では、前枠１３に開口部１７を形成すると共に、この開口部１７に対応して裏側から飾り板１４を装着しているが、前枠１３に裏側から装着した飾り板１４を前側から視認可能であれば、前枠１３に、開口部１７に替えて、例えば透明部を形成しても良い。透明部としては、例えばアクリル板等の透明な合成樹脂板を用いればよい。また、開口部１７に替えて透明部を設ける場合には、飾り板１４の前面板３９を省略すると共に、変動表示手段を視認するための窓部３６を開口により構成しても良い。
【０１２０】
実施形態では、前枠１３の開口部１７（透明部）を略矩形状に形成しているが、開口部１７（透明部）の形状は遊技機全体のデザイン等に応じて適宜変更可能であり、例えば円形状、楕円形状等に構成しても良い。また、飾り板１４の形状も、開口部１７（透明部）の形状に合わせても良いし、開口部１７（透明部）を裏側から略塞ぐことができれば、異なる形状であっても良い。
【０１２１】
また、実施形態では、飾り板１４に裏側から、副表示手段３８、ランプ枠４１、照明手段５０等を装着しているが、飾り板１４は少なくとも図柄表示リール（可変表示手段）３１を視認するための窓部３６を有しておれば良く、副表示手段３８、ランプ枠４１、照明手段５０等は外ケース２側に装着しても良い。
【０１２２】
また、実施形態では、支持部７３を外ケース２の側板９に取り付けているが、例えば外ケース２の中板１２、リールユニット４の枠体７２等に取り付けても良い。更に、支持部７３は、飾り板１４に裏側から当接又は近接する以外にも、飾り板１４に装着された部品（例えば副表示手段３８、ランプ枠４１等）に裏側から当接又は近接するように構成しても良い。
【０１２３】
第１の実施形態では、嵌合部５４を突出部８０，８１に略Ｕ字状に切り欠き形成しているが、嵌合部５４は軸部５３が相対回転可能に嵌合する形状であれば良く、例えば矩形状に切り欠き形成しても良い。また、例えば板状の突出部８０，８１に替えて、飾り板１４にＹ字状の部材を取り付け、その二股の先端側を嵌合部５４としても良い。
【０１２４】
第２及び第３の実施形態では、止め部５２の弾性係合片８３を飾り板１４側に設けると共に、被係合部８４を前枠１３側に設けているが、前枠１３側に弾性係合片８３を設けると共に、飾り板１４側に被係合部８４を設けても良い。
【０１２５】
【発明の効果】
本発明は、前側が開口する外ケース２と、該外ケース２の前側に開閉自在に枢着された前面パネル３と、前記外ケース２の内側に装着された変動表示手段４とを備えた遊技機において、前記前面パネル３は、前記外ケース２に枢着された前枠１３と、該前枠１３に裏側から着脱自在に取り付けられ且つ前記変動表示手段４を視認するための窓部３６が形成された飾り板１４とを備え、前記飾り板１４がその一側を支点として揺動できるように該飾り板１４の一側を前記前枠１３側に係止する係止部５１と、前記飾り板１４をその他側で前記前枠１３側に止める止め部５２とを設けているので、前枠１３に対して簡単且つ迅速に飾り板１４を着脱することができる。
【図面の簡単な説明】
【図１】本発明の第１の実施形態を示すスロットマシンの正面図である。
【図２】本発明の第１の実施形態を示すスロットマシンの側面図である。
【図３】本発明の第１の実施形態を示す外ケース側の正面図である。
【図４】本発明の第１の実施形態を示すスロットマシンの上部側の断面図である。
【図５】本発明の第１の実施形態を示す飾り板及びその取り付け構造の断面図である。
【図６】本発明の第１の実施形態を示す飾り板の斜視図である。
【図７】本発明の第１の実施形態を示す前枠の上部側の裏面図である。
【図８】本発明の第１の実施形態を示す係止部及び止め部の斜視図である。
【図９】本発明の第２の実施形態を示す止め部の断面図である。
【図１０】本発明の第２の実施形態を示す止め部の斜視図である。
【図１１】本発明の第３の実施形態を示す止め部の断面図である。
【図１２】本発明の第３の実施形態を示す止め部の斜視図である。
【図１３】本発明の第４の実施形態を示すスロットマシンの上部側の断面図である。
【図１４】本発明の第５の実施形態を示す係止部の断面図である。
【図１５】本発明の第５の実施形態を示す係止部の斜視図である。
【図１６】本発明の第６の実施形態を示す飾り板及びその取り付け構造の断面図である。
【図１７】本発明の第６の実施形態を示す係止部の裏面図である。
【図１８】本発明の第７の実施形態を示す支持装置（支持部）の断面図である。
【図１９】本発明の第８の実施形態を示すスロットマシンの上部側の断面図である。
【図２０】本発明の第９の実施形態を示すスロットマシンの上部側の断面図である。
【図２１】本発明の第１０の実施形態を示すスロットマシンの上部側の断面図である。
【符号の説明】
１  スロットマシン
２  外ケース
３  前面パネル
４  リールユニット
１３  前枠
１４  飾り板
３６  窓部
５１  係止部
５２  止め部
５３  軸部
５４  嵌合部
５５  ブラケット
５５ａ  当接部
７３  支持部
８０  中間突出部
８１  端突出部
８３  弾性係合片
８４  被係合部
【図１】
2005021484.tif 000003
【図２】
2005021484.tif 000004
【図３】
2005021484.tif 000005
【図４】
2005021484.tif 000006
【図５】
2005021484.tif 000007
【図６】
2005021484.tif 000008
【図７】
2005021484.tif 000009
【図８】
2005021484.tif 000010
【図９】
2005021484.tif 000011
【図１０】
2005021484.tif 000012
【図１１】
2005021484.tif 000013
【図１２】
2005021484.tif 000014
【図１３】
2005021484.tif 000015
【図１４】
2005021484.tif 000016
【図１５】
2005021484.tif 000017
【図１６】
2005021484.tif 000018
【図１７】
2005021484.tif 000019
【図１８】
2005021484.tif 000020
【図１９】
2005021484.tif 000021
【図２０】
2005021484.tif 000022
【図２１】
2005021484.tif 000023